(57)【要約】      （修正有）【課題】所定情報が形成されたラベルを使用後に剥離自在とされるラベルシートに関し、後に剥離させる基材を接着状態より剥離容易とするラベルシートを提供する。【解決手段】上基材である貼付票除去シート１２Ａと貼付票非除去シート１２Ｂで構成される貼付票１２に対して下基材である透明フィルム１４が溶融接着により擬似接着され、透明フィルム１４の裏面に粘着剤層１５を介して剥離紙１６が形成されたもので、貼付票除去シート１２Ａの四隅部にオイルを染みこませて透明フィルム１４まで達しさせたオイル含有部１７を設ける構成とする。【選択図】図１
2015025958.tif 000002
【特許請求の範囲】
【請求項１】
上基材と、
前記上基材と擬似接着される下基材と、
前記下基材の裏面に粘着剤層を介して剥離紙と、
前記上基材の、少なくとも一の隅部にオイルを染みこませて前記下基材まで達しさせたオイル含有部と、
を有することを特徴とするラベルシート。
【発明の詳細な説明】
【技術分野】
【０００１】
本発明は、所定情報が形成されたラベル上紙を使用後に剥離自在とされるラベルシートに関する。
【背景技術】
【０００２】
近年、例えば配送伝票などに住所、氏名などの配送情報が記載されて配送物の梱包上に貼付され、配送後に梱包物を廃棄するにあたって貼付されている伝票を個人情報保護の見地から剥ぎ取ることが行われている。このような伝票やラベル等において残存する個人情報掲載のシートを容易に取り去り可能とさせることが望まれる。
【０００３】
従来、個人情報保護の見地から、使用後に個人情報が掲載された伝票やシートを取り去り可能とするラベルシートや荷札が以下の特許文献等で提案されている。特許文献１では、表面基材と透明フィルムとを擬似接着し、当該透明フィルムに粘着剤を介して剥離紙が貼り付けられたもので、当該表面基材の端部にシリコン処理部を設けたラベルシートが提案されている。
【０００４】
また、特許文献２では、表面に印刷層を有するシートの裏面に透明フィルムが擬似接着され、当該透明フィルムの裏面に粘着剤層が塗布されたもので、当該シートと透明フィルム間の一端に剥離容易にした剥離層を設けた荷札が提案されている。
【先行技術文献】
【特許文献】
【０００５】
【特許文献１】実開平０２−０３３０７７号公報
【特許文献２】実開平０２−１３４５７７号公報
【発明の概要】
【発明が解決しようとする課題】
【０００６】
上記特許文献１のラベルシートにおけるシリコン処理部は、シリコン樹脂を浸潤又は層状化させて乾燥させたもので、この部分では接してはいるものの接着状態ではなく、配送時の取扱いによってはめくれやこれに伴う剥がれを生じる場合があるという問題がある。また、特許文献２の荷札においても、剥離を容易とする擬似接着の一部に設けられる剥離層を、シリコンやロウ加工の被膜を施したもので、この部分では上記特許文献１のラベルシートと同様に接着状態ではなく、配送時の取扱いによってはめくれやこれに伴う剥がれを生じる場合があるという問題がある。
【０００７】
そこで、本発明は上記課題に鑑みなされたもので、後に剥離させる基材を接着状態より剥離容易とするラベルシートを提供することを目的とする。
【課題を解決するための手段】
【０００８】
上記課題を解決するために、請求項１の発明では、上基材と、前記上基材と擬似接着される下基材と、前記下基材の裏面に粘着剤層を介して剥離紙と、前記上基材の、少なくとも一の隅部にオイルを染みこませて前記下基材まで達しさせたオイル含有部と、を有するラベルシートの構成とする。
【発明の効果】
【０００９】
本発明によれば、上基材と下基材とが擬似接着され、当該フィルムの裏面に粘着剤層を介して剥離紙が形成されたもので、上基材の、少なくとも一の隅部にオイルを染みこませて下基材まで達しさせたオイル含有部を設ける構成とすることにより、染み込ませたオイルによっても上基材と下基材とは擬似接着状態を維持させることができることから取扱いによってめくれ等を生じ難くさせ、オイル含有部のオイル成分によって当該部分での剥離をし易くさせることができ、上基材剥離の取っ掛かりとさせて全体剥離容易とさせることができるものである。
【図面の簡単な説明】
【００１０】
【図１】本発明に係るラベルシートの構成図である。
【図２】図１のラベルシートの使用状態の説明図（１）である。
【図３】図１のラベルシートの使用状態の説明図（２）である。
【図４】本発明に係るラベルシートの他の断面構成図である。
【発明を実施するための形態】
【００１１】
以下、本発明の実施形態を図により説明する。本実施形態では、ラベルシートを配送伝票に適用した場合を示すが、使用後に情報部分の貼着シートを除去させるに適した例えば郵送用の宛名ラベルシートなどにおいても適用することができるものである。また、以下の実施形態では、配送伝票のうち、特に貼付票について説明するが、配送後に配送者が持ち帰る配達票については、貼付票と分離自在に適宜一体化させればよく、図示を省略している。
【００１２】
図１に、本発明に係るラベルシートの構成図を示す。図１（Ａ）、（Ｂ）において、ラベルシート１１を構成する配送伝票の貼付票１２は、住所、氏名等が記載される欄を有する貼付票除去シート１２Ａと品名等が記載される欄を有する貼付票非除去シート１２Ｂとにより構成され、当該貼付票除去シート１２Ａと貼付票非除去シート１２Ｂとはカットライン１３で分離自在としている。当該貼付票除去シート１２Ａが上基材となる。
【００１３】
上記貼付票１２の表示面に対する裏面に下基材である透明フィルム（フィルムとするが特に透明でなくともよい）１４が擬似接着される。例えば、貼付票１２の上紙に対してポリエチレン（ＰＥ）を溶融密着する温度より低い温度での液状状態で押し出し成形により塗布し、常温下で固化することによって、貼付票１２と透明フィルム１４とが擬似接着された状態となる。また、貼付票１２の貼付票除去シート１２Ａ及び貼付票非除去シート１２Ｂとなる位置にカットライン１３を形成することで透明フィルム１４上で分離自在とされる。
【００１４】
そして、上記透明フィルム１４の表出面に強接着系の粘着剤層１５が形成され、剥離紙１６が貼着されるものである。なお、透明フィルム１４として、ＰＥの他に、ポリプロピレンやポリエステルなどを用いて形成してもよい。
【００１５】
また、貼付票除去シート１２Ａの四隅部にオイルを染みこませたオイル含有部１７が形成される。オイル含有部１７は、例えばシリコンオイルが使用される。使用されるオイルは、他のオイルでもよいがベタつきのないシリコンオイルが好ましい。例えば、上記カットライン１３の形成後にオイルを滴下することで形成することができる。滴下されたオイルは、貼付票除去シート１２Ａの厚さ方向に染み込み、擬似接着されている透明フィルム１４に達するものである。特に、貼付票除去シート１２Ａと透明フィルム１４とが溶融接着による密着で擬似接着されている場合に染み込みやすく、より効果的である。
【００１６】
なお、本実施形態では、貼付票除去シート１２Ａの四隅にオイル含有部１７を設けた場合を示したが、一の隅部でもよく、必ずしも四隅に形成させなくともよい。例えば、一の隅部にオイル含有部１７を形成した場合に、使用者にその箇所を認識させるために、例えば「ここより剥がしてください」と表示してもよい。
【００１７】
そこで、図２及び図３に、図１のラベルシートの使用状態の説明図を示す。配送伝票としてのラベルシート１１は、図２（Ａ）に示すように、剥離紙１６が剥離されて、図２（Ｂ）に示すように、粘着剤層１５により配送梱包物２１上に貼付されることで配送に供される。このとき、オイル含有部１７のオイルが染み込んだ貼付票除去シート１２Ａと当該部分の透明フィルム１４とは擬似接着状態が維持される。
【００１８】
そして、受け取りの後、図３（Ａ）に示すように、貼付票除去シート１２Ａの四隅のうちの何れかの隅部のオイル含有部１７を、例えば爪で引っ掻くようにすることで染み込んだオイル成分で容易に剥がされ、図３（Ｂ）に示すように、そのまま透明フィルム１４より剥離させるものである。
【００１９】
このように、オイル含有部１７で染み込ませたオイルによっても上基材である貼付票除去シート１２Ａと下基材である透明フィルム１４とは擬似接着状態を維持させることができることから、配送時の取扱いによって当該部分の貼付票除去シート１２Ａがめくれ等を生じ難く、一方、オイル含有部１７のオイル成分で当該部分の貼付票除去シート１２と透明フィルム１４との間で剥離し易くなり、全体剥離の取っ掛かりとさせて容易に剥離させることができるものである。
【００２０】
ところで、前述の特許文献１，２におけるラベルシートや荷札において、表面基材（シート）に透明フィルムを溶融接着して擬似接着させる場合、透明フィルムが溶融している状態で表面基材（シート）に接着させるものであり、当該表面基材（シート）と透明フィルムの間の一部分にシリコン樹脂などの剥離層を形成することは、一度溶融接着した後にシリコン樹脂形成位置まで剥離しなければならない。本発明は、一度擬似接着した後には剥離することなく、オイルを滴下してオイル含有部１７を形成すればよく、製造工程において簡易とすることができるものである。
【００２１】
次に、図４に、本発明に係るラベルシートの他の断面構成図を示す。図４（Ａ）に示すラベルシート１１は、貼付票除去シート（上基材）１２Ａと透明フィルム（下基材）１４とを、上述のような溶融接着により擬似接着させるのではなく、貼付票除去シート１２Ａと固形としての透明フィルム１４とを従前より知られている擬似接着剤層３１により擬似接着させたものである。
【００２２】
このような構成とすることによっても、貼付票除去シート１２Ａと透明フィルム１４との擬似接着状態を維持させつつ、オイル含有部１７の当該透明フィルム１４まで達するオイル成分で当該部分の貼付票除去シート１２Ａと透明フィルム１４との間で剥離し易くさせることができるものであり、擬似接着層３１で擬似接着させることは、貼付票除去シート１２Ａを薄紙とした場合に特に有効である。このことは、図４（Ｂ）に示すラベルシート１１においても同様である。
【００２３】
また、図４（Ｂ）に示すラベルシート１１は、図４（Ａ）の透明フィルム１４に代えて、下基材として上紙を用いた貼着紙３２によって形成したものであり、このようにすることによっても、貼付票除去シート１２Ａと貼着紙３２との擬似接着状態を維持させつつ、オイル含有部１７の当該貼着紙３２まで達するオイル成分で当該部分の貼付票除去シート１２Ａと貼着紙３２との間で剥離し易くさせることができるものであり、特に透明とする必要のないときにはコスト的も有効である。
【産業上の利用可能性】
【００２４】
本発明のラベルシートは、所定情報が形成されたラベル上紙を使用後に剥離自在とされるシートの製造産業に利用可能である。
【符号の説明】
【００２５】
１１            ラベルシート
１２            貼付票
１２Ａ          貼付票除去シート
１２Ｂ          貼付票非除去シート
１３            カットライン
１４            透明フィルム
１５            粘着剤層
１６            剥離紙
１７            オイル含有部
２１            配送梱包物
３１            擬似接着剤層
３２            貼着紙
【図１】
2015025958.tif 000003
【図２】
2015025958.tif 000004
【図３】
2015025958.tif 000005
【図４】
2015025958.tif 000006